(57)【要約】無線通信システム（１０）における無線通信装置（３０）は、メッセージを受信する受信器（６８）と、メッセ−ジを処理するために受信機（６８）と連結するプロセッサ（７８）と、プロセッサ（７８）に連結するメモリ（８０）とを含む。メモリ（８０）は、メッセージを記憶するメッセージメモリ（９４）と、位置情報（１００）を記憶する位置メモリ（９６）とを含む。無線通信装置（３０）はさらに、プロセッサ（７８）と連結する作動モード管理アプリケーション（９０）を含む。作動モード管理アプリケーション（９０）は、少なくとも一つの作動モード（１１２）を識別し、プロセッサ（７８）から受信する処理命令（１０４）に応答して作動モード（１１２）をエネーブルにする。
2004519919.tif 000002
【特許請求の範囲】
【請求項１】
メッセージを受信するための、無線通信システムにおける無線通信装置であって、該無線通信装置は、
メッセージを受信する受信機と、
受信機に連結され前記メッセージを処理するプロセッサと、
プロセッサに連結されたメモリと、
プロセッサに連結された作動モード管理アプリケーションとを備え、
該メモリは、メッセージを記憶するメッセージメモリと、位置情報を記憶する位置メモリとを含み、
該作動モード管理アプリケーションは、少なくとも一つの作動モードを識別し、さらに該作動モード管理アプリケーションは、プロセッサから受信する処理命令に応答して作動モードをエネーブルにする装置。
【請求項２】
請求項１に記載の無線通信装置であって、作動モード管理アプリケーションは処理命令に応答して位置メモリにアクセスし、位置メモリ内に記憶された位置情報を使用して現在速度を計算するようプログラミングされ、さらに作動モード管理アプリケーションは、現在速度に対応する作動モードを識別するひと組の規則のセットによりプログラミングされている装置。
【請求項３】
請求項２に記載の無線通信装置であって、プロセッサは、作動モードを識別する作動モード管理アプリケーションに応答して、作動モードをエネーブルにする装置。
【請求項４】
請求項２に記載の無線通信装置であって、該無線通信装置はさらにハンドフリー回路を備え、さらに該作動モードはハンドフリー作動であり、さらにプロセッサは、作動モードを識別する作動モード管理アプリケーションに応答して、ハンドフリー回路を作動させる装置。
【請求項５】
請求項２に記載の無線通信装置であって、該無線通信装置はさらにクロックを含み、該クロックは現在時間を含み、さらに位置メモリに記憶された位置情報は、現在時間を含む装置。
【請求項６】
請求項５に記載の無線通信装置であって、該位置情報は現在位置、現在時間、複数の以前の位置、及び複数の以前の時間を含む装置。
【請求項７】
請求項２に記載の無線通信装置であって、該無線通信装置は、複数のＧＰＳ信号を受信するための、プロセッサと連結するＧＰＳ受信機をさらに含み、該プロセッサは複数のＧＰＳ信号を使用して現在速度を計算する装置。
【請求項８】
プロセッサ、メモリ、及び作動モード管理アプリケーションを有する無線通信装置における速度感応作動のための方法であって、該速度感応作動のための方法は、
プロセッサによって現在位置と現在時間を決定し、
現在位置と現在時間をメモリ内に記憶し、
現在位置と、現在時間と、メモリに記憶される複数の以前の位置情報とを使用して、作動モード管理アプリケーションによって現在速度を計算し、
現在速度を速度制限と比較し、
現在速度が速度制限を超えるとき作動モードを識別し、
作動モードをエネーブルにすることからなる方法。
【請求項９】
請求項８に記載の無線通信装置における速度感応作動のための方法であって、該方法はさらに、
現在速度が速度制限をもはや超えないとき作動モードを識別し、
作動モードをディスエーブルにすることからなる方法。
【請求項１０】
プロセッサ、メモリ、及び作動モード管理アプリケーションを有する無線通信装置における速度感応作動のための方法であって、速度感応作動のための方法は、
プロセッサによって現在速度を決定し、
現在速度をメモリ内に記憶し、
現在速度を速度制限と比較し、
現在速度が速度制限を超えるとき作動モードを識別し、
作動モードをエネーブルにすることからなる方法。
【発明の詳細な説明】
【０００１】
（関連分野）
本発明は、一般に無線通信装置、詳細には特に速度感応作動を伴う無線通信装置に関する。
【０００２】
（発明の背景）
双方向のポケットベルや携帯電話のような無線通信装置は、近年さらに人気である。これは一つには、これらが使用者に様々な利便性を提供することによる。無線通信装置の人気の多くは、使用者に提供される、コール、及びメッセージを無線にて送信及び受信できる、追加された能力から来るものである。
【０００３】
近年携帯電話は、フルデュープレックススピーカーフォンを使用する、「ハンドフリー」モードでの作動に使用される性能を有する設計がなされている。この「ハンドフリー」モードにての作動は、使用者が、入力されたコールを受信する時に特に有利である。使用者は電話に応答することができ、ボタンを操作したりする、あるいは使用者の耳に電話を保持したりすする必要なく会話をすることができる。
【０００４】
現在の「ハンドフリー」モード搭載の欠点は、ハンドセットを「ハンドフリー」モードに位置させるために特別の順序のボタン押し圧力の特別な連続を入力する必要があることである。これは使用者に、電話を「ハンドフリー」モードに位置させる適切な手順を覚えていることを要求する。別の欠点は、「ハンドフリー」モードは、例えば使用者が会議に出席している時など、常に適切とは限らないことである。これは使用者に、会議に出席する前に「ハンドフリー」モードをオフにすることを覚えている事を要求する。使用者は、「ハンドフリー」モードをオフにするための適切な手順をも覚えている必要がある。
【０００５】
最近、数種の無線通信装置が、装置の現在位置を決定する能力を含むよう設計されている。例えば、無線通信システムは、ハンドセットの位置を固定するために各基地局にて方向発見装置を使用することができる。現在位置は、２個以上の送信基地局が同一の信号を受信したとき、三角法コンピューティングされる。一度無線通信装置の位置が決定すると、無線通信装置の速度と方向を計算するために、現在時間と伴に使用され得る。
【０００６】
同様に、ポータブル無線通信装置は、その位置を決定するためグローバルポジショニングシステム（ＧＰＳ）受信機を含むことができる。グローバルポジショニングシステム（ＧＰＳ）は、２４個の衛星の一群と、その地上局基地から形成される世界的な無線ナビゲーション系である。このＧＰＳ受信機は、ＧＰＳ受信機を備えたる無線通信装置の現在位置、行き先、速度、及び高度をも計算するために、衛星から受信した信号を使用する。
【０００７】
必要とされているのは、位置発見機能を備えた無線通信装置を、その無線通信装置が使用されている環境条件に基づき適切な作動モードに自動的に位置させる、改良された方法である。
【０００８】
（発明の詳細な説明）
図１を参照すると、無線通信システムの電子ブロック図１０が図示される。無線通信システム１０は、メッセージを無線通信システム１０に入力するためのメッセージ入力装置を含む。メッセージ入力装置は、例えば、公衆電話交換網（ＰＳＴＮ）１８を経由し、複数の電話リンク２０を介してシステムコントローラ２２に接続する電話１２、コンピュータ１４、又はデスクトップのメッセージ作成ユニット１６であり得る。電話リンク２０は、例えば、複数の撚り対線、光ファイバケーブル、又は多重中継線であり得る。
【０００９】
システムコントローラ２２は、一つ以上の通信リンク２４を介して少なくとも一つの無線周波数（ＲＦ）送信機２６と、少なくとも一つの無線周波数（ＲＦ）受信機２８とに連結し、それらの動作を監視する。通信リンク２４は、典型的には撚った一対の電話線で、追加として無線周波数（ＲＦ）、マイクロ波、又は他の通信リンクを含むことができる。無線周波数送信機２６と無線周波数受信機２８は、典型的には、インバウンドおよびアウトバウンドのメッセージを、陸上通信線メッセージ交換コンピュータと、携帯メッセージ、短メッセージサービス、又はページングプロトコルのようなパーソナル無線アドレシング要求とに互換性のあるフォーマットに、エンコード及びデコードする、メッセージ記憶及び転送局と共に使用される。システムコントローラ２２は、無線周波数送信機２６又は無線周波数受信機２８に送信又は受信される無線メッセージをエンコード及びデコードする機能をも果たし得る。電話による信号は、典型的には電話１２又は無線通信装置３０のような電話のセットによりシステムコントローラ２２へ送信、及びシステムコントローラから受信される。システムコントローラ２２は、ダウンリンクメッセージ３２等のアウトバウンドメッセージをエンコードしスケジュールする。その後、システムコントローラ２２は、エンコードされたアウトバウンドメッセージを、無線周波数送信機２６を介して、送信アンテナ３４を経由して、例えば無線通信装置３０のような無線通信装置３６の複数へ、少なくとも一つのアウトバウンドの無線周波数（ＲＦ）チャンネル３８上で送信する。ダウンリンクメッセージ３２は、例えば、データメッセージ又は音声コールであり得る。同様に、システムコントローラ２２は、無線通信装置３６の複数の一つから、少なくとも一つのインバウンドの無線周波数（ＲＦ）チャンネル４４上で受信アンテナ４２を経由して無線周波数受信機２８に受信される、例えばアップリンクメッセージ４０のようなインバウンドメッセージを、受信及びデコードする。アップリンクメッセージ４０は、例えば、データメッセージ、データメッセージへの応答、音声コール、又は音声コールへの応答であり得る。
【００１０】
当業者には、本発明による無線通信システム１０が、例えば一方向又は双方向のポケベルチャンネル、移動携帯電話チャンネル又は移動無線チャンネルのような無線ＲＦチャンネルならどれでも利用して機能できることが理解できる。同様に、当業者には、無線通信システム１０が、赤外線チャンネルのような他のタイプの通信チャンネルを利用して機能できることが理解できる。以下の説明では、「無線通信システム」という用語は、上述の無線通信システムのいずれか又はその等価物を指す。
【００１１】
同様に、本発明による無線通信装置３０は、移動携帯電話、移動無線データ端末、付帯のデータ端末を有する移動携帯電話、または、「ページライター（Ｐａｇｅｗｒｉｔｅｒ）  ２０００Ｘ」［ モトローラ・インコーポレーテッド（Ｍｏｔｏｒｏｌａ，Ｉｎｃ．）製、イリノイ州ショーンバーグ（Ｓｃｈａｕｍｂｕｒｇ）］ 等の双方向のポケベルであり得ることも当業者には理解されよう。以下の説明にて、「無線通信装置」という言葉は、上に記述される装置のいずれか又はそれと等価の装置を意味する。
【００１２】
無線通信システム１０での使用に割当てられる無線通信装置３０は、アドレス４６、又は、無線通信システム１０における固有の選択的コールアドレスである、割当てられたアイデンティティを有する。当業者には、無線通信システム１０での使用に割当てられる他の無線通信装置が、無線通信システム１０における固有の選択的コールアドレスである、割当てられたアドレスを有することが理解できる。
【００１３】
アドレス４６は、システムコントローラ２２からのダウンリンクメッセージ３２を、アドレス４６を有する無線通信装置３０のみに送信可能にし、システムコントローラ２２で受信した無線通信装置３０からのメッセージと応答とを、アドレス４６によって識別する。一つの実施態様において、複数の無線通信装置３６の各々は、割当てられたピン番号を有し、そのピン番号はＰＳＴＮ１８内の電話番号と関連している。複数の無線通信装置３６の各々に割当てられたアドレスとそれに関連する電話番号のリストは、加入者データベース４８の形式にてシステムコントローラ２２に記憶される。
【００１４】
本発明の好ましい実施態様において、無線通信装置３０は、ＧＰＳシステム５２から無線放送される複数のＧＰＳ信号５０を利用して、当業者に周知の方法により、その位置を計算する。
【００１５】
図２は、複数の無線通信装置３６、無線通信システム１０、及びＧＰＳシステム５２の相互作用を表す電子ブロック図である。図２の無線通信装置３０は、例えば、動作速度５４、動作方向５６にて、第一の位置５８から第二の位置６０へ移動し、その後現在の位置６２に移動し得る。無線通信装置３０の、第一の位置５８、第二の位置６０、現在位置６２、動作方向５６、及び動作速度５４の検知と通知は、無線通信装置３０それ自体によって、又は無線通信システム１０によって、もしくは両者の組み合わせによってなされ得る。例えば、リフレックス（ＲｅＦＬＥＸ）プロトコルを使用した無線通信システム１０においては、各無線タワーは「カラーコード」を割当てられ、この「カラーコード」は、無線通信装置３０のような無線通信装置の複数に無線放送される、フレーム同期単語に埋め込まれる。無線通信装置３０は、その相対位置を、現在のカラーコードを前のカラーコードと比較することにより決定することができる。同様に、ＧＳＭプロトコルでは、各セルのＳＣＨに無線放送されたベースアイデンティフィケーションコード（Ｂａｓ ｅ  Ｉｄｅｎｔｉｆｉｃａｔｉｏｎ  Ｃｏｄｅ（ＢＳＩＣ））によって、移動局は、隣合うセルを区別することができる。動作方向５６と動作速度５４は、第一位置５８、及び第二位置６０のような受信した複数の位置ポイントを使用して計算される。
【００１６】
代替として、無線通信システム１０は、主として航空機のためのナビゲーション補助として使用される、非常に高い周波数の全方向レンジ（ＶＯＲ）を使用することができ、送信局に対する角度を計算するために、固定信号と回転信号の位相を比較する。ＶＯＲシステムにおいて、送信機は、参照変調に対する位相が局からの受信ポイントの各方向について異なる、（様々な）変調を発信する。ＶＯＲシステムに要求される典型的な無線周波数（ＲＦ）バンド幅は、２５キロヘルツ（ＫＨｚ）前後である。
【００１７】
代替として、図２に図示されるように、無線通信装置３０の現在位置６２は、グローバルポジショニンングシステム（Ｇｌｏｂａｌ  Ｐｏｓｉｔｉｏｎｉｎｇ   Ｓｙｓｔｅｍ（ＧＰＳ））を使用して決定され得る。グローバルポジショニンングシステムは、２４個の衛星群とそれらの地上局とにより形成される、世界的な無線ナビゲーション系である。ＧＰＳは、メートル単位まで正確に位置を計算するために、そのような「人によって作られた星」を参照ポイントとして使用する。宇宙における衛星は、ここ地球における位置の参照ポイントとして使用される。
【００１８】
当業者には、本発明による無線通信システム１０及び／又は無線通信装置３０が、上述の又はそれと同等のシステムを使用して、第一位置５８、第二位置６０、現在位置６２、動作方向５６、及び動作速度５４を決定することができることが理解できる。
【００１９】
図３は、無線通信システム１０にて使用される、無線通信装置３０の好ましい実施態様の電子ブロック図である。当業者にとって、図３の電子ブロック図が、無線通信システム１０での使用に割当てられる複数の無線通信装置３６の各々を図示するものであることが理解できる。
【００２０】
図３を参照すると、無線通信装置３０は、第一アンテナ６４、第二アンテナ６６、受信機６８、変換器７０、クロック７２、ＧＰＳアンテナ７４、ＧＰＳ受信機７６、プロセッサ７８、メモリ８０、アラート回路８２、ディスプレイ８４、ユーザインターフェイス８６、ハンドフリー回路８８、及び作動モード管理アプリケーション９０を含む。当業者には、作動モード管理アプリケーション９０は、ソフトウエアプログラム、又はそれと等価な他のどのような物でもよいことが理解できる。
【００２１】
第一アンテナ６４は、無線通信システム１０からの送信信号を受信する。第一アンテナ６４は、受信器６８と連結し、これは、図１のダウンリンクメッセージ３２のような無線通信システム１０により送信される通信信号を受信するために従来の復調技術を利用するものである。
【００２２】
受信機６８に連結するのは、受信したメッセージを処理するために従来の信号処理技術を利用するプロセッサ７８である。プロセッサ７８は、モトローラ・インコーポレーテッド製のＭＣ６８３２８マイクロコントローラと同様であることが好ましい。当業者には、他の同様なプロセッサが、プロセッサ７８の代わりに使用できること、及び同一又は代替タイプの追加のプロセッサが、プロセッサ７８の処理要求の取扱いに要求に応じて使用できることが理解できる。
【００２３】
プロセッサ７８は、受信メッセージの復調されたデータのアドレスをデコードし、デコードされたアドレスを、メモリ８０のアドレスメモリ９２に保存されるアドレス４６のような一つ以上のアドレスと比較し、一致が検知されたら受信メッセージの残りの部分の処理に進む。
【００２４】
無線通信装置３０に必要な機能を遂行するために、プロセッサ７８はメモリ８０と連結する。メモリ８０はランダムアクセスメモリ（ＲＡＭ）、リードオンリーメモリ（ＲＯＭ）、及び電気的消去プログラム可能なリードオンリーメモリ（ＥＥＰＲＯＭ）（図示しない）を含むことが好ましい。メモリ８０は、アドレスメモリ９２、メッセージメモリ９４、及び位置メモリ９６をも含む。位置メモリ９６は、複数の位置情報１００を含むことが好ましい。複数の位置情報１００は、例えば、現在位置６２、現在時間９８とともに、第一位置５８と第一時間１０２のような、以前の位置及びそれに関連する時間を含み得る。当業者には、複数の位置情報１００は、本発明によれば、以前の位置、及びそれに関連する時間をいくつでも含むことができることが理解できる。さらに、当業者には、本発明によれば、以前の位置、及びそれに関連する時間は可変、固定、及び／又は変調可能であることが理解できる。
【００２５】
プロセッサ７８は、一度受信メッセージを処理すると、デコードされたメッセージをメッセージメモリ９４に保存する。当業者には、メッセージメモリ９４は、本発明によれば、データ保存装置内のボイスメールボックス、又はメモリロケーショングループである得ることが理解できる。以下の記述にて、用語「メッセージメモリ」は、上述のメモリ装置のすべて、又はそれと同等のものを意味する。
【００２６】
プロセッサ７８はメッセージを受信し処理したら、メッセージが受信され保存された通知として、コマンド信号をアラート回路８２に生成することが好ましい。アラート回路８２は、音楽や他の聴覚アラートを流すことのできるスピーカードライブ回路を伴うスピーカー（図示しない）、物理的振動を発生することのできるバイブレータドライブ回路を伴う振動装置（図示しない）、又は、視覚アラートを生成することのできるＬＥＤドライブ回路を伴う一つ以上のＬＥＤ（図示しない）を含むことができる。当業者には、他の同様のアラート装置は、記述したすべての聴覚、振動、視覚による出力の組み合わせとともに、アラート回路８２に使用できることが理解できる。
【００２７】
プロセッサ７８はまた、メッセージを受信したら、メッセージの受信と保存の視覚的通知を生成するために、ディスプレイ８４に命令信号を生成することが好ましい。ディスプレイ８４が、メッセージが受信されメッセ−ジメモリ９４に記憶されたとの、プロセッサ７８からの命令信号を受信すると、メッセージ指示が表示される。メッセージ指示は、例えば、ディスプレイ８４上の複数のメッセージアイコンの一つの作動であり得る。ディスプレイ８４は、例えば、ディスプレイテキストを使用した液晶ディスプレイであり得る。当業者には、ドットマトリックスディスプレイのような他の同様のディスプレイが、ディスプレイ８４に利用できることが理解できる。
【００２８】
無線通信装置３０は、さらにクロック７２を含むことが好ましい。クロック７２は、プロセッサ７８のためにタイミングを提供する。クロック７２は、無線通信装置３０の作動に使用される現在時間９８を含み得る。クロック７２はまた、作動及び非作動の時間、又は待機時間のような、将来のタイミングの拡張性のための資源をも提供する。
【００２９】
好ましい実施態様において、無線通信装置３０は、作動モード管理アプリケーション９０を含む。無線通信装置３０はプロセッサ７８から送られた処理命令１０４を使用して、作動モード管理アプリケーション９０内にて作動モード管理機能を遂行する。作動モード管理アプリケーション９０は、処理命令１０４に応答してアプリケーション応答１０６を送信する。作動モード管理アプリケーション９０は、製造工程中に無線通信装置３０にハードコード又はプログラミングされたもの、消費者の承諾により無線によってプログラミングされたもの、又はダウンロードできるアプリケーションであり得る。当業者には、他のプログラミング方法が、作動モード管理アプリケーション９０の無線通信装置３０へのプログラミングに使用できることが理解できる。
【００３０】
作動モード管理アプリケーション９０は、作動モードリスト１１０からの作動モード１１２をエネーブルにするようプログラムされていることが好ましい。作動モード管理アプリケーション９０は、プロセッサ命令１０４に応答して、メモリ８０の位置メモリ９６にアクセスすることが好ましい。作動モード管理アプリケーション９０は、位置メモリ９６に記憶された複数の位置情報１００を使用して、当業者によく知られた所定のアルゴリズムを用いて、現在速度１０８を計算するようプログラムされている。作動モード管理アプリケーション９０は、現在速度１０８に従って作動モード１１２を識別する規則のセットによりプログラミングされていることが好ましい。作動モード管理アプリケーション９０が作動モード１１２を識別すると、作動モード管理アプリケーション９０はプロセッサ７８にアプリケーション応答１０６を送信する。プロセッサ７８は、アプリケーション応答１０６の受信に応答して、作動モード１１２をエネーブルにする。例えば、作動モード１１２がハンドフリー作動モードのときは、プロセッサ７８は無線通信装置３０のハンドフリー作動を動作させるために、ハンドフリー回路８８に命令信号を送信する。ハンドフリー回路８８は、無線通信装置３０をスピーカーフォンとして作動させるため、例えば、スピーカー、マイクロフォン、及び制御回路を含むことができる。
【００３１】
ユーザインターフェイス８６は、図３に示すように、プロセッサ７８と連結していることが好ましい。ユーザインターフェイス８６は、一つのボタン押し、一連のボタン押し、装置の使用者からの音声応答、又は無線通信装置３０の装置使用者により開始される他のいくつかの同様の手動応答方法を生じる一つ以上のボタンであり得る。プロセッサ７８は、ユーザインターフェイス８６に応答して、作動モード管理アプリケーション９０への処理命令１０４を開始する。作動モード管理アプリケーション９０は、上述したように、処理命令１０４に応答して現在速度１０８を計算し、作動モード１１２を識別する。この方法では、作動モード１１２は、無線通信装置３０の使用者により直接変更することができる。
【００３２】
送信機７０はプロセッサ７８と連結し、プロセッサ７８からの命令に応答する。送信機７０がプロセッサ７８からの命令を受信すると、送信機７０は信号を第二アンテナ６６を介して無線通信装置１０に送信する。信号は、例えばアップリンクメッセージ４０（図１参照）であり得る。
【００３３】
代替実施態様（図示せず）において、無線通信装置３０は、第一アンテナ６４と第二アンテナ６６の機能を実行する一つのアンテナを含む。さらに、無線通信装置３０は、受信機６８と送信機７０の機能を実行するトランシーバー回路を代わりに含む。当業者には、無線通信装置３０の要求を扱うために、同一又は代替のタイプの同様の電子ブロック図が、無線通信装置３０に使用できることが理解できる。
【００３４】
無線通信装置３０は、さらにＧＰＳ受信機７６とＧＰＳアンテナ７４を備えることが好ましい。ＧＰＳ受信機７６は、ＧＰＳシステム５２から無線放送された複数のＧＰＳ信号５０を、ＧＰＳアンテナ７４を経由して受信する。プロセッサ７８は、無線通信装置３０の現在位置６２を計算するために、当業者によく知られる方法によって、受信した複数のＧＰＳ信号５０を処理する。
【００３５】
ＧＰＳ受信機７９は、プロセッサ７８と連結している。プロセッサ７８はメモリ８０と連結し、ＧＰＳ受信機７９からの情報を含む命令を受信するに応答して、メモリ８０の位置メモリ９６部分における現在時間９８とともに、現在位置６２を、好ましくは緯度と経度の形態で記憶する。作動モード管理アプリケーション９０による後の使用のため、現在位置６２は、複数のＧＰＳ信号５０をメモリ８０にて処理することにより決定できる。ＧＰＳ受信機７９は、無線通信装置の現在位置６２を、移動方向と速度とともに決定するために、正確な方法を提供する。
【００３６】
図４は本発明の、図１の無線通信システム１０における、図３の無線通信装置３０の動作の一つの実施態様を表すフローチャートである。ステップ１１４にて、プロセッサ７８は現在位置６２を決定する。プロセッサ７８は、複数のＧＰＳ信号５０を受信した時使用し、現在位置６２を計算する。代替として、プロセッサ７８は、ダウンリンクメッセージ３２に含まれる情報を使用して現在位置６２を計算する。当業者には、本発明によれば、プロセッサ７８が、記述した方法又はそれと等価な方法により現在位置６２を計算することができることが理解できる。次に、ステップ１１６において、プロセッサ７８は、現在時間９８を決定する。プロセッサ７８は、クロック７２から現在時間９８を受信することが好ましい。代替として、プロセッサ７８は、ダウンリンクメッセージ３２に含まれる情報を使用して、現在時間９８を受信する。当業者には、本発明によれば、プロセッサ７８が、記述した方法又はそれと等価な方法により現在時間９８を受信及び／又は計算することができることが理解できる。次に、ステップ１１８において、プロセッサ７８はメモリ８０の位置メモリ９６内に、現在位置６２と現在時間９８を記憶する。次に、ステップ１２０において、作動モード管理アプリケーション９０は、現在位置６２、現在時間９８、及び位置メモリ９６に記憶される複数の以前の位置と複数の以前の時間を含む、複数の位置情報１００を使用して、当業者に周知の所定のアルゴリズムを使用することにより、現在速度１０８を計算する。次に、ステップ１２２において、作動モード管理アプリケーション９０は、現在速度１０８を、所定の速度制限と比較する。現在速度１０８が、所定の速度制限を超えないときは、この過程はステップ１１４に戻る。ステップ１２４において、現在速度１０８が、所定の速度制限を超えるときは、作動モード管理アプリケーション９０は、エネーブルのため作動モード１１２を識別する規則のセットによりプログラムされている事が好ましい。例えば、現在速度１０８が所定の速度制限を超えるときは、作動モード管理アプリケーション９０は、ハンドフリーモードをエネーブルにし得る。さらに、使用者には、作動の特別なモードが変更されたという指示が提供される。
【００３７】
もし現在速度１０８が、続いて所定の速度制限を下回るときは、作動モード管理アプリケーション９０は、ハンドフリーモードをディスエーブルにする。代替として、作動モード管理アプリケーション９０によって使用者は、モードがエネーブル、又はディスエーブルにされる前に、現在速度１０８があらかじめ設定された時間中保持されることを要求する時間パラメータを設定でき得る。
【００３８】
無線通信装置の他の作動は、作動モード管理アプリケーション９０によって制御でき得る。例えば、音声制御の特性は、無線装置の速度が所定の制限に到達すると、作動し得る。音声制御により、使用者は、音声命令を使用することにより、ボリューム調整などの無線通信装置の特定の作動の制御が可能になる。この方法により、使用者は、装置との物理的接触の必要なしに、無線装置の特徴を聴覚的に制御することができる。代替として、もし無線装置の速度が所定の制限に到達すると、音声テキスト変換特性が作動し得る。音声テキスト変換回路は、話された音声を言葉に変換することができる。この方法により、使用者は、無線通信装置と物理的接触の必要なしに聴覚的にメッセージを構築し、それを適切な目的地へ送信することができる。
【００３９】
本発明を、好ましい実施態様について説明してきたが、本発明から逸脱することなしに様々な変更あるいは改良することが当業者にとって明らかである。従って、そのようなすべての変更あるいは改良は、請求項に定義される本発明の趣旨と範囲に含まれるものとして解釈されるものとする。
【図面の簡単な説明】
【図１】無線通信システムの電子ブロック図である。
【図２】本発明による図１の無線通信システムの一実施態様の電子ブロック図である。
【図３】図１及び図２の無線通信システム内にて使用される無線通信装置の電子ブロック図である。
【図４】本発明による図３の無線通信装置の作動を示すフローチャートである。
【図１】
2004519919.tif 000003
【図２】
2004519919.tif 000004
【図３】
2004519919.tif 000005
【図４】
2004519919.tif 000006
【国際公開パンフレット】
2004519919.tif 000007
2004519919.tif 000008
2004519919.tif 000009
2004519919.tif 000010
2004519919.tif 000011
2004519919.tif 000012
2004519919.tif 000013
2004519919.tif 000014
2004519919.tif 000015
2004519919.tif 000016
2004519919.tif 000017
2004519919.tif 000018
2004519919.tif 000019
2004519919.tif 000020
2004519919.tif 000021
2004519919.tif 000022
2004519919.tif 000023
2004519919.tif 000024
2004519919.tif 000025
2004519919.tif 000026
2004519919.tif 000027
2004519919.tif 000028
【国際調査報告】
2004519919.tif 000029